(57)【要約】【課題】引き出した洗浄槽をスライドさせて洗浄機本体に収容するとき、洗浄槽を確実に収容位置まで引き込むようにした食器洗浄機を提供する。【解決手段】引き出した洗浄槽３２をスライドさせて洗浄機本体３１内に押し入れる洗浄槽３２の収納操作時に、所定スライド位置からスライド動作の終了位置に向けて洗浄槽３２を洗浄機本体３１内に引き込む引き込み手段を設けているので、洗浄槽３２は収納操作の終了前位置から洗浄機本体３１内に引き込まれる。【選択図】  図１
2004154222.tif 000002
【特許請求の範囲】
【請求項１】
前方に開口する箱状体に形成された洗浄機本体に対し、スライドレールによりスライドして洗浄槽が前記洗浄機本体の前方開口部から出入りできるように構成された食器洗浄機において、
前記洗浄槽をスライドさせて前記洗浄機本体内に押し入れる洗浄槽収納操作時に、所定スライド位置からスライド動作の終了位置に向けて洗浄槽を洗浄機本体内に引き込む引き込み手段が設けられてなることを特徴とする食器洗浄機。
【請求項２】
引き込み手段は、洗浄槽の洗浄機本体からの引き出し動作時に移動する洗浄槽に係合してバネ部材を圧縮すると共に圧縮状態を係止し、洗浄槽の洗浄機本体内への押し込み動作時に移動する洗浄槽に係合してバネ部材の圧縮状態の係止を解除する請求項２に記載の食器洗浄機。
【請求項３】
引き込み手段に、スライド動作の終了位置に向けて引き込み速度を減少させるように規制する引き込み速度規制手段が設けられてなる請求項１又は２に記載の食器洗浄機。
【発明の詳細な説明】
【０００１】
【発明の属する技術分野】
本発明は、洗浄機本体から洗浄槽をスライドさせて出し入れする食器洗浄機において、引き出した洗浄槽を洗浄機本体に戻す際に、洗浄槽を洗浄機本体内に引き込むように構成して洗浄槽が確実に洗浄機本体内に収容されるようにした食器洗浄機に関するものである。
【０００２】
【従来の技術】
食器類を収容して洗浄する洗浄槽をスライドレールにより洗浄機本体から前後方向に出し入れするスライドオープン型の食器洗浄機は、キッチンキャビネットにビルトインして食器洗浄機を備えたシステムキッチンの構築に好適な形態である。このようなスライドレールを用いて洗浄槽を洗浄機本体から出し入れする形態の食器洗浄機の従来例について以下に説明する。
【０００３】
図１５に示す従来構成は、上方に開口する洗浄槽１４を洗浄機本体１５の前面開口部から前方に出し入れできるように構成され、洗浄槽１４の洗浄機本体１５からの出し入れは、第１のスライドレール１６にボールベアリング等の転動体を介して第２のスライドレール１７を装着した一対のスライドレールを用いてなされている。第１のスライドレール１６は洗浄機本体１５の両内側面に固定され、第２のスライドレール１７は洗浄槽１４の両外側面に固定されているので、洗浄槽１４を洗浄機本体１５から引き出し、あるいは押し込むと、洗浄槽１４に固定された第２のスライドレール１７は第１のスライドレール１６内を移動し、両レール間に転動体が介在していることによって洗浄槽１４は円滑な移動によって洗浄機本体１５から出し入れできる（特許文献１参照）。
【０００４】
上記構成において、洗浄槽１４が洗浄機本体１５内に完全に収容される直前の押し込み動作によって洗浄機本体１５の上面に昇降移動可能に配設された内蓋１１が下降動作して、洗浄機本体１５内に収容された洗浄槽１４の開口部が閉じられ、洗浄槽１４内に設けられた洗浄ノズル８から洗浄水を噴射させて食器類３を洗浄するときの洗浄水が外部に漏れないようにしている。
【０００５】
また、洗浄槽１４を洗浄機本体１５内に収容したときには、洗浄槽１４のドアパネルに設けられたロックレバーによって洗浄槽１４の収容状態がロックされ、洗浄中の洗浄槽１４が不用意に引き出されることが防止される。
【０００６】
【特許文献１】
特許第３１２９３１８号公報（第３〜４頁、図１）
【０００７】
【発明が解決しようとする課題】
上記構成において、洗浄槽１４の開口部を閉じる内蓋１１の下降動作は、洗浄槽１４が洗浄機本体１５の収容終端位置に移動する動作によって起動されるため、洗浄槽１４が洗浄機本体１５内の収容終端位置まで確実に押し込まれていないと、内蓋１１の下降動作が確実になされず、洗浄槽１４の開口部が密閉されない状態となり、その状態で洗浄ノズル８から洗浄水が噴射されると、洗浄水が外部に漏れる水漏れが発生することになる。
【０００８】
また、洗浄槽１４が洗浄機本体１５内に確実に収容されないままにロックレバーを操作してもロックがなされず、そのまま洗浄を開始すると、洗浄水の漏れが発生したり、子供が洗浄槽１４を引き出して事故をまねく恐れもある。
【０００９】
本発明は、上記従来技術の課題に鑑みて創案されたもので、その目的とするところは、洗浄槽が洗浄機本体内の収容終端位置まで確実に収容されるように、洗浄槽を洗浄機本体内に引き込む手段を設けた食器洗浄機を提供することにある。
【００１０】
【課題を解決するための手段】
上記目的を達成するための本発明は、前方に開口する箱状体に形成された洗浄機本体に対し、スライドレールによりスライドして洗浄槽が前記洗浄機本体の前方開口部から出入りできるように構成された食器洗浄機において、前記洗浄槽をスライドさせて前記洗浄機本体内に押し入れる洗浄槽収容操作時に、所定のスライド位置からスライド動作の終了位置に向けて洗浄槽を洗浄機本体内に引き込む引き込み手段が設けられてなることを特徴とする。
【００１１】
上記構成によれば、洗浄槽をスライドさせて洗浄機本体内に押し込む操作を行ったとき、洗浄槽が洗浄機本体内に完全に収容されるスライド動作の終了位置に至る以前の所定スライド位置から引き込み手段による洗浄槽の引き込み作用が働くので、洗浄槽の押し込み操作が不充分であっても洗浄槽は洗浄機本体内の収容位置まで確実に引き込まれる。従って、洗浄槽の収容が確実になされないことに起因して内蓋により洗浄槽の開口部が完全に閉じられず、洗浄水が漏れが発生したり、洗浄槽収容時のロックが不完全になることが防止できる。
【００１２】
上記構成において、引き込み手段は、洗浄槽の洗浄機本体からの引き出し動作時に移動する可動レールに係合してバネ部材を圧縮すると共に圧縮状態を係止し、洗浄槽の洗浄機本体内への押し込み動作時に移動する可動レールに係合してバネ部材の圧縮状態の係止を解除するように構成することができる。
【００１３】
また、引き込み手段に、スライド動作の終了位置に向けて引き込み速度を減少させるように規制する引き込み速度規制手段を設けることにより、洗浄槽の引き込み動作の終了に向けてスライド動作速度が減少するので、洗浄槽は静かに洗浄機本体内に引き込まれる。
【００１４】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００１５】
本実施形態に係る食器洗浄機は、図１に示すように、前方に開口する洗浄機本体３１内に、上方に開口する洗浄槽３２が収容され、洗浄槽３２はスライドレール３３により前後方向に移動可能で、洗浄機本体３１の前方開口部から図示する引き出し終端位置まで引き出すことができるように構成されている。この食器洗浄機は、図示するようにキッチンキャビネット４０内にビルトインするのが基本的な設置形態であるが、洗浄機本体１を設置場所の台上に固定して使用することもできる。
【００１６】
前記洗浄槽３２は、樹脂成形によって形成されタンク７９の前面にドアパネル８０が取り付けられ、図２に示すように、タンク７９内に形成された内槽３４は、上方に向けて開口面積が増加するようにテーパー角度が形成され、その底面側に洗浄ノズル３５、ヒータ７５、残滓フィルタ７６などが配設され、その上方に食器類を収容する食器籠３６が着脱可能に収納される。また、洗浄槽３２の後面には、図３に示すように、前記洗浄ノズル３５から洗浄水を噴射させるための洗浄ポンプ及び排水ポンプを兼用する電動ポンプ３７や、内槽３４内に給排水するための構成要素が配設されている。また、内槽３４内に通じる給水ホース３８及び排水ホース３９は洗浄機本体３１に回動可能に支持されたホースホルダ４６に保持され、前後移動する洗浄槽３２に追従してホースホルダ４６が回動することにより、移動する洗浄槽３２に対する給水ホース３８及び排水ホース３９の接続状態の安定化が図られている。
【００１７】
また、前記スライドレール３３は、図４、図５に示すように、洗浄機本体３１の両側面の内面側に固定される固定レール４１と、洗浄槽３２の両側面の外面側に固定される可動レール４２との間に、両レールにボールベアリング４７を介して中間レール４３が嵌挿された３段構造に構成されている。前記固定レール４１には、その側面から延出形成された水平面４４ａと、水平面４４ａから鉛直方向に直角に折り曲げられた鉛直面４４ｂとを設けてＬの字状断面に形成された取付部４４が形成されている。このスライドレール３３は洗浄機機本体３１の両側面の内側に、図６、図７に示すように取り付けられる。
【００１８】
図６において、洗浄機本体３１は金属板材により前面が開口する箱状に形成され、その両側面には、前記取付部４４を保持してスライドレール３３を固定するための受け部４８と挟持部４９とが形成されている。前記受け部４８及び挟持部４９は、図７に示すように、洗浄機本体３１の板面を突き出し加工して前記取付部４４の鉛直方向高さ寸法に対応する間隔に形成され、図示するように挟持部４９内に取付部４４の鉛直面４４ｂ上端部を挿入し、受け部４８上に水平面４４ａを押し込むと、スライドレール３３は洗浄機本体３１の側面に仮固定された状態になる。この仮固定されたスライドレール３３は、洗浄機本体３１に設けられた２か所の固定穴６７から、それに対応する取付部４４に形成された２か所のネジ穴５０にネジ５１を螺入することにより固定される。
【００１９】
一方、前記可動レール４２に固定される洗浄槽３２のタンク７９には、その両側面の外面に、図８に示すように、可動レール４２に固定するための支持部４５が突出形成されており、洗浄機本体３１に固定されたスライドレール３３に、可動レール４２上に支持部４５を載置し、洗浄槽３２を可動レール４２上で後方向に摺動するように押し込むと、図９に示すように、支持部４５の後面から後方に向けて突出する嵌合突起５２は可動レール４２の後方側にＬの字状に切り起こされた切り起こし部５３内に挿入され、支持部４５の前方側において下方に突出する突起部５４は、その先端が可動レール４２に形成された開口部５５（図４参照）に嵌まり込み、スライドレール３３に対する洗浄槽３２の位置決めがなされる。洗浄槽３２はその両側面でスライドレール３３上に位置決めされて安定した載置状態となるが、この状態を維持するために支持部４５の前方側に形成された固定穴７７から可動レール４２に形成されたネジ穴９１にネジ５１を螺入することにより、洗浄槽３２は可動レール４２に固定される。
【００２０】
スライドレール３３は前述したように３段構造であり、洗浄槽３２を洗浄機本体３１から引き出すと、洗浄槽３２が固定された可動レール４２は中間レール４３上を滑動し、中間レール４３は可動レール４２の移動に遅れて固定レール４１上を移動する。図１０は、洗浄槽３２の洗浄機本体３１からの引き出し操作に伴う可動レール４２及び中間レール４３の移動状態を示すもので、図１０（ａ）は洗浄槽３２が洗浄機本体３１内に収容された状態、図１０（ｂ）は洗浄槽３２を引き出し終端位置まで引き出した状態である。図１０（ａ）に示す状態から洗浄槽３２の引き出し操作が開始されると、洗浄槽３２が固定された可動レール４２は仮想線で示すように中間レール４３上を移動し始める。可動レール４２の移動に伴って可動レール４２と中間レール４３との間に介在する複数のボールベアリング４７を所定間隔に捕捉する保持器９０が常に可動レール４２と中間レール４３との間に介在するように、中間レール４３は可動レール４２が所定位置まで移動したのに追動して固定レール４１上を移動し始める。中間レール４３と固定レール４１との間にも可動レール４２と同様に複数のボールベアリング４７を所定間隔に捕捉する保持器９０が介在しており、図１０（ｂ）に示すように、洗浄槽３２を引き出し終端位置まで引き出したとき、固定レール４１上には前記保持器９０の長さに相当する中間レール４３の約１／２長さが嵌挿された状態にあり、約１／２が固定レール４１から突き出るまでに移動する。また、可動レール４２は、その約１／２に中間レール４３が嵌挿され、約１／２長さが中間レール４３より突き出るまでに移動させることができるので、洗浄槽３２の洗浄機本体３１からの引き出し量を大きくすることが可能となる。
【００２１】
また、上記のように３段構造のスライドレール３３では、固定レール４１から可動レール４２を大きく引き出した状態でも、両レールの間に中間レール４３が存在するので、引き出された可動レール４２に洗浄槽３２の荷重が加わっても、スライドレール３３で洗浄槽３２を支持することができる。
【００２２】
洗浄槽３２の洗浄機本体３１からの引き出し量を最も大きく設定したい食器洗浄機の設置状態は、図１に示したように、上面にカウンタートップ６１が配設されたキッチンキャビネット４０のカウンタートップ６１直下にビルトインされた場合である。キッチンキャビネット４０の前面（イ）より前方側にカウンタートップ６１の前方端（ロ）が位置しており、カウンタートップ６１の直下に食器洗浄機はビルトインされるので、洗浄槽３２の内槽３４の後面上方部分（Ａ）がカウンタートップ６１の前方端（ロ）より前方側に位置するまで洗浄槽３２を引き出すことができるようにすると、内槽３４の開口部上方には遮蔽物が存在せず、内槽３４に対する食器類の出し入れや残滓処理の作業が最も容易となる。
【００２３】
また、上方に向けて開口面積が増加するようにテーパー角度が形成された内槽３４の後面下方部分（Ｂ）がカウンタートップ６１の前方端（ロ）より前方側に位置するまで洗浄槽３２を引き出すことができるように設定してもよく、前記後面上方部分（Ａ）はカウンタートップ６１の前方端（ロ）より後方側となるが、内槽３４の開口部の上方がカウンタートップ６１により被覆される量は少なく、カウンタートップ６１の下面との間に間隔があるため、食器類の出し入れに障害とはならない。
【００２４】
また、内槽３４内に配設された食器籠３６の後端部分（Ｃ）がカウンタートップ６１の前方端（ロ）より前方側に位置するまで洗浄槽３２を引き出すことができるように設定してもよく、食器籠３６の上方に遮蔽物が存在しない状態が得られる。従って、食器籠３６に対する食器類の出し入れは容易に行うことができる。
【００２５】
上記のように洗浄槽３２の引き出し量が大きく得られるように構成したとき、前述したように洗浄槽３２の後面に配設された電動ポンプ３７等の構成要素が洗浄槽３２と洗浄機本体３１との間から見える状態となる。特に、図３に示したように、タンク７９の後面端部に凹部７４を形成して、凹部７４内に収まるように電動ポンプ３７を配設した場合に、洗浄槽３２を引き出し終端位置まで引き出すと電動ポンプ３７は外部に大きく露出することになる。このような状態は見た目にも好ましくなく、子供が隙間から手や金属物を入れるような悪戯がなされたとき、電動ポンプ３７等の電装品に触れることによる事故や故障発生の恐れがある。そこで、洗浄槽３２の後面の周囲に後方に向けた隠蔽板を設置して隙間を隠蔽する。
【００２６】
洗浄槽３２の下面及び両側面の支持部４５より下側の部位には、図９に示すように、洗浄槽３２の下面に取り付けられた洗浄ノズル３５の回転駆動モータや排水管接続部などの構成要素を被覆するアンダーカバー５６が取り付けられるので、このアンダーカバー５６の後端側を後方に延出した下面隠蔽部５６ａを形成することにより、下面及び両側面のスライドレール３３より下の部位を隠蔽することができる。
【００２７】
洗浄槽３２の両側面の支持部４５より上の部位は、図９に示すように、洗浄槽３２の側面から後方に向けて延出する側面隠蔽板５８を取り付けることにより、側面から洗浄槽３２の後面に配設された構成要素の外部露出を隠蔽することができる。また、洗浄槽３２の後面両側に後方に向けて板状に延出する隠蔽部を樹脂成形しても同様の効果が得られる。
【００２８】
洗浄槽３２の上部後方は、図９に示すように、タンク７９の上面を後方に向けて板状に延出させた延出部５７を形成することにより隠蔽することができる。この延出部５７は、洗浄槽３２を引き出し終端位置まで引き出した状態において、図１２に示すように、延出部５７の先端部が内蓋６０の下方に位置する延出長さに形成される。
【００２９】
前記内蓋６０は、図１１に模式図として示すように、洗浄機本体３１の上部に設けられた両側のリンク機構６２により昇降移動可能に配設され、バネ６３により前方上方向に付勢されているので、洗浄槽３２が洗浄機本体３１から引き出された状態では前記バネ６３の付勢により上方位置にある。洗浄槽３２が洗浄機本体３１内に押し入れられ、タンク７９の前方側上面に形成された押圧片５９により内蓋６０に設けられた突起部７７が後方側に押し出され、内蓋６０はバネ６３の付勢に抗してリンク機構６２により内蓋６０は前方から斜め下方に下降し、収容終端位置に押し込まれたタンク７９の開口部に中央部位９５が嵌まり込み、中央部位９５の周囲に配設されたパッキング７８により内槽３４内を密閉状態にする。
【００３０】
洗浄機本体３１から引き出された洗浄槽３２の内槽３４内に多数の食器が入れられて洗浄槽３２の重量が増加した状態では、スライドレール３３によって支持されている洗浄槽３２は前方側が下がり、後方側が上がる状態になりがちである。このような状態から洗浄槽３２を洗浄機本体３１内に押し入れると、タンク７９の後端から延出する延出部５７が内蓋６０の前端部（ニ）又は（ホ）に衝突する恐れがあるが、上述したように延出部５７はその先端部（ハ）が洗浄槽３２が引き出し終端位置まで引き出された状態においても、内蓋６０の中央部位９５の前端部（ニ）より後方で且つ下方に位置する延出長さに形成されているので、延出部５７は洗浄機本体３１内に押し込まれる洗浄槽３２を内蓋６０の下面に沿って案内し、収容終端位置まで誘導することができる。
【００３１】
洗浄槽３２が洗浄機本体３１内の収容終端位置に確実に押し込まれていないと、内蓋６０による内槽３４の密閉状態が不充分となり、水漏れが発生したり、洗浄槽３２の収容状態をロックするハンドルの操作が不完全になる恐れがある。そこで、洗浄槽３２を洗浄機本体３１内の収容終端位置まで確実に誘導するために、スライドレール３３に引き込み機構６４を設け、洗浄槽３２を洗浄機本体３１内の収容終端位置まで確実に引き込むように構成することができる。
【００３２】
図１３に示すように、スライドレール３３を構成する固定レール４１の側面に引き込み機構６４が取り付けられ、引き込み機構６４に設けられた係合片６５に係合する作動片６６が可動レール４２の側面に取り付けられる。洗浄槽３２が洗浄機本体３１内に収容された状態では、図１４に示すように、前記作動片６６に形成された突起部６６ａは前記係合片６５に形成された一対の係合突起６５ａ，６５ｂの間に係合している。前記係合片６５にはバネ軸６８の先端が遊嵌されており、バネ軸６８の他端側にバネ収容筒７２を設け、その中はバネ軸６８の他端に設けたバネ受け７３で受けてコイルバネ７０が嵌め込まれている。
【００３３】
洗浄槽３２を洗浄機本体３１から引き出す操作が行われると、可動レール４２が移動して、それに固定された作動片６６によって係合片６５が移動し、バネ軸６８が引かれてコイルバネ７０は圧縮される。係合片６５が摺動移動する溝を形成する側壁６９の一方端部には係止凹部７１が形成されており、可動レール４２の移動により作動片６６に係合して移動した係合片６５の係合突起６５ａが前記係止凹部７１に達したとき、係合突起６５ａは係止凹部７１内に落ち込んで作動片６６の突起部６６ａとの係合が外れる。係合突起６５ａが係止凹部７１内に係止されることにより、コイルバネ７０はバネ受け７３によって圧縮された状態に保持される。
【００３４】
引き出された洗浄槽３２が洗浄機本体３１内に押し込む操作がなされたとき、可動レール４２は後方側に移動し、作動片６６が係止凹部７１によって係止されている係合片６５の位置に達したとき、作動片６６の突起部６６ａは側壁６９上に残っている係合突起６５ｂに係合して押圧するので、係合片６５の係合突起６５ａは係止凹部７１から抜け出して係止状態が解除される。係止の解除により圧縮されたコイルバネ７０の弾性復帰力はバネ軸６８から係合片６５、作動片６６に及ぶので、可動レール４２は洗浄槽３２に対する押し込み操作の力が加わらない状態でも移動し、洗浄槽３２を洗浄機本体３１内の収容終端位置まで引き込むことができる。
【００３５】
上記引き込み機構６４において、コイルバネ７０を収容するバネ収容筒７２をシリンダとして、バネ軸６８の先端に取り付けられたバネ受け７３にコイルバネ７０の一端を受け止める作用と同時にピストンの作用を与えることにより、圧縮されたコイルバネ７０が弾性復帰するとき、バネ受け７３によりバネ収容筒７２内の空気を圧縮するエアダンパの効果が得られるので、洗浄槽３２の洗浄機本体３１内への引き込み終端に至って移動速度が減少し、静かに洗浄槽３２を収容する効果が得られる。この移動速度の減少によって洗浄槽３２が急激に洗浄機本体３１内に引き込まれたときの衝撃がなく、内槽３４内に収納した食器類が衝撃により倒れたり位置ずれすることが防止できる。
【００３６】
【発明の効果】
以上の説明の通り本発明によれば、洗浄槽をスライドさせて洗浄機本体内に押し込む操作を行ったとき、洗浄槽が洗浄機本体内に完全に収容されるスライド動作の終了位置に至る以前の所定スライド位置から引き込み手段による洗浄槽の引き込み作用が働くので、洗浄槽の押し込み操作が不充分であっても洗浄槽は洗浄機本体内の収容位置に確実に収容される。従って、洗浄槽の収容が確実になされないことに起因して内蓋により洗浄槽の開口部が完全に閉じられず、洗浄水が漏れが発生したり、洗浄槽収容時のロックが不完全になることが防止できる。
【図面の簡単な説明】
【図１】実施形態に係る食器洗浄機における洗浄槽の引き出し状態を示す側面図。
【図２】洗浄槽の内槽内の構成を示す斜視図。
【図３】洗浄槽後面に配置された構成要素を示す背面図。
【図４】スライドレールの構成を示す斜視図。
【図５】同上断面図。
【図６】洗浄機本体に対するスライドレールの取付構造を示す側面図。
【図７】スライドレールの取付構造を示す断面図。
【図８】洗浄槽に対するスライドレール取付構造を示す断面図。
【図９】同上側面図。
【図１０】スライドレールの滑動動作を説明する側面図。
【図１１】内蓋の構成を示す模式図。
【図１２】延出部の構成を示す部分側面図。
【図１３】スライドレールに設けた引き込み構造を示す斜視図。
【図１４】同上側面図。
【図１５】従来技術に係る食器洗浄機の構成を示す側面図。
【符号の説明】
３１  洗浄機本体
３２  洗浄槽
３３  スライドレール
４１  固定レール
４２  可動レール
４３  中間レール
４７  ボールベアリング
６４  引き込み機構（引き込み手段）
【図１】
2004154222.tif 000003
【図２】
2004154222.tif 000004
【図３】
2004154222.tif 000005
【図４】
2004154222.tif 000006
【図５】
2004154222.tif 000007
【図６】
2004154222.tif 000008
【図７】
2004154222.tif 000009
【図８】
2004154222.tif 000010
【図９】
2004154222.tif 000011
【図１０】
2004154222.tif 000012
【図１１】
2004154222.tif 000013
【図１２】
2004154222.tif 000014
【図１３】
2004154222.tif 000015
【図１４】
2004154222.tif 000016
【図１５】
2004154222.tif 000017
【手続補正書】
【提出日】平成15年9月4日(2003.9.4)
【手続補正１】
【補正対象書類名】明細書
【補正対象項目名】００１８
【補正方法】変更
【補正の内容】
【００１８】
図６において、洗浄機本体３１は金属板材により前面が開口する箱状に形成され、その両側面には、前記取付部４４を保持してスライドレール３３を固定するための受け部４８と挟持部４９とが形成されている。前記受け部４８及び挟持部４９は、図７に示すように、洗浄機本体３１の板面を突き出し加工して前記取付部４４の鉛直方向高さ寸法に対応する間隔に形成され、図示するように挟持部４９内に取付部４４の鉛直面４４ｂ上端部を挿入し、受け部４８上に水平面４４ａを押し込むと、スライドレール３３は洗浄機本体３１の側面に仮固定された状態になる。この仮固定されたスライドレール３３は、洗浄機本体３１に設けられた２か所の固定穴７７から、それに対応する取付部４４に形成された２か所のネジ穴５０にネジ５１を螺入することにより固定される。


【手続補正２】
【補正対象書類名】明細書
【補正対象項目名】００１９
【補正方法】変更
【補正の内容】
【００１９】
一方、前記可動レール４２に固定される洗浄槽３２のタンク７９には、その両側面の外面に、図８に示すように、可動レール４２に固定するための支持部４５が突出形成されており、洗浄機本体３１に固定されたスライドレール３３に、可動レール４２上に支持部４５を載置し、洗浄槽３２を可動レール４２上で後方向に摺動するように押し込むと、図９に示すように、支持部４５の後面から後方に向けて突出する嵌合突起５２は可動レール４２の後方側にＬの字状に切り起こされた切り起こし部５３内に挿入され、支持部４５の前方側において下方に突出する突起部５４は、その先端が可動レール４２に形成された開口部５５（図４参照）に嵌まり込み、スライドレール３３に対する洗浄槽３２の位置決めがなされる。洗浄槽３２はその両側面でスライドレール３３上に位置決めされて安定した載置状態となるが、この状態を維持するために支持部４５の前方側に形成された固定穴６７から可動レール４２に形成されたネジ穴９１にネジ９２を螺入することにより、洗浄槽３２は可動レール４２に固定される。


【手続補正３】
【補正対象書類名】明細書
【補正対象項目名】００３０
【補正方法】変更
【補正の内容】
【００３０】
洗浄機本体３１から引き出された洗浄槽３２の内槽３４内に多数の食器が入れられて洗浄槽３２の重量が増加した状態では、スライドレール３３によって支持されている洗浄槽３２は前方側が下がり、後方側が上がる状態になりがちである。このような状態から洗浄槽３２を洗浄機本体３１内に押し入れると、タンク７９の後端から延出する延出部５７が内蓋６０の前端部（ニ）又は（ホ）に衝突する恐れがあるが、上述したように延出部５７はその先端部（ヘ）が洗浄槽３２が引き出し終端位置まで引き出された状態においても、内蓋６０の中央部位９５の前端部（ニ）より後方で且つ下方に位置する延出長さに形成されているので、延出部５７は洗浄機本体３１内に押し込まれる洗浄槽３２を内蓋６０の下面に沿って案内し、収容終端位置まで誘導することができる。


【手続補正４】
【補正対象書類名】図面
【補正対象項目名】図４
【補正方法】変更
【補正の内容】
【図４】
2004154222.tif 000018
【手続補正５】
【補正対象書類名】図面
【補正対象項目名】図６
【補正方法】変更
【補正の内容】
【図６】
2004154222.tif 000019